(57)【要約】【課題】熟練していない検査技師や医師でも、容易にかつ正確に視野を測定でき、しかも多数の被験者を効率よく検査可能な視野計を提供すること。【解決手段】ドームと、該ドーム内面に光点を投光する投光器と、該投光器を上記ドームの開口面を半円を描くように水平に動かすアームと、該アームを駆動する第１のモーターと、上記投光器の投光方向を変化させる第２のモーターと、ドーム内面に投光された光点を表示する液晶ディスプレイと、被験者を観察するモニターディスプレイとを有し、上記第１のモーターの回転と第２のモーターの回転とが、コンピュータープログラムにより制御され、ドーム内面に投光される光点をドーム内面の任意の位置に移動させるようにし、さらにドーム内面に投光される光点の照度を制御する装置を有することを特徴とする視野計。【選択図】　図３
2004073545.tif 000002
【特許請求の範囲】
【請求項１】
半球状内面を有するドームと、該ドーム内面に光点を投光する投光器と、該投光器を上記ドームの開口面を半円を描くように水平に動かすアームと、該アームを駆動する第１のモーターと、上記投光器の投光方向を変化させる第２のモーターと、ドーム内面に投光された光点を表示する液晶ディスプレイと、被験者を観察するモニターディスプレイとを有し、上記第１のモーターの回転と第２のモーターの回転とが、コンピュータープログラムにより制御され、ドーム内面に投光される光点をドーム内面の任意の位置に移動させるようにし、さらにドーム内面に投光される光点の照度を制御する装置を有することを特徴とする視野計。
【請求項２】
第１のモーターの回転と第２のモーターの回転とを制御するコンピューターが、ディスプレイに指触した点から別の指触した点の間に対応して、アームと投光器とが共動し、ドーム内面に光点を走査するようにプログラミングされている請求項１に記載の視野計。
【請求項３】
さらにドーム内面に投光される光点の大きさを制御する装置を有する請求項１に記載の視野計。
【発明の詳細な説明】
【０００１】
【発明の属する技術分野】
本発明は、人間の眼の視野を検査する視野計に関し、熟練を要することなくかつ軽労働で被験者の動的および／または静的視野を正確に測定、記録および記憶することができる視野計を提供する。
【０００２】
【従来の技術】
従来、緑内障や脳腫瘍の指標である視野の測定装置として、所謂ゴールドマン視野計が古くからかつ広く使用されている。この視野計によれば、片眼あるいは両眼の動的・量的視野を正確に測定することができ、緑内障の発見やその進行度合いが把握でき、緑内障の治療に有効に使用されている。また、脳障害などが発生した場合にも視野が変化することから、上記視野計によって早期に脳障害が発見されることがあり、眼科のみならず、脳外科においても、有力な検査装置として使用されている。
【０００３】
上記ゴールドマン視野計は、図１（正面）および図２（背面）に示すように、半球状内面を有するドーム１と、該ドーム内面の任意の位置Ａからドーム中心方向に向かって別の位置Ｂまで光点を走査できる投光器２と、該投光器２を上記ドームの開口面を半円を描くように水平に動かすアーム３と、該アーム３と上記投光器２の投光方向を変化させるパンタグラフ４（図２）から形成されている。
【０００４】
今、被験者がその顔をドーム内に設けられた顔設置台５に固定し、何れか一方の眼を塞ぎ、ドーム内面中心に設けられている孔６を凝視するようにする。このような状態において、図１に示す装置の裏側を表わす図２に示すように、検査技師が孔６の裏面に設けられた望遠鏡７によって被験者の顔の向き（視線方向）を確認しながら、パンタグラフ４の末端の把手８を握り、ドーム１の内面と相似形に形成された記録用紙９の点Ａから点Ｂまで動かすと、この動きに対応してパンタグラフ４の作用により、図１に示すように投光器２から投光される光点はドーム内面の点Ａから点Ｂまでゆっくりと動く。
【０００５】
被験者が光点を視認した時点で被験者が手に持っているブザー２４により視認を検査技師に知らせる。検査技師はその視認位置を把手８の裏側に設けられている記録器具によって記録用紙９に視認点Ｂを記録する。このような光点走査を多数の角度で繰り返し、図２に示すような被験者の視野２２が記録される。このような視野の測定は片眼毎にでも両眼についても行うことができる。このような視野の測定は、図２に示す記録紙の１６点について行う。なお、このような操作自体は当業者に周知であるのでこれ以上の説明は省略する。
【０００６】
【発明が解決しようとする課題】
上記の如き視野計による視野の測定は、望遠鏡７によって被験者の状態（視線）を把握しつつ、把手８を持ってパンタグラフ４およびアーム３を一定の走査速度でかつ正確に行うことが必須である。そのために、このような視野計を扱う検査技師には高度の熟練が要求されるとともに、検査技師の疲労が甚だしく、一日に検査できる被験者の数が限られるという問題があり、優れた視野計であるにも拘らず、その機能が充分に被験者に寄与できていない。
従って、本発明の目的は、熟練していない検査技師であっても、あるいは医師であっても、容易にかつ正確に視野を測定でき、しかも多数の被験者を効率よく検査可能な視野計を提供することである。
【０００７】
【課題を解決するための手段】
上記目的は以下の本発明によって達成される。すなわち、本発明は、半球状内面を有するドーム１と、該ドーム内面に光点を投光する投光器２と、該投光器２を上記ドーム１の開口面を半円を描くように水平に動かすアーム３と、該アームを駆動する第１のモーター１０と、上記投光器２の投光方向を変化させる第２のモーター１１と、ドーム内面に投光された光点を表示する液晶ディスプレイ１２と、被験者を観察するモニターディスプレイ１３とを有し、上記第１のモーター１０の回転と第２のモーター１１の回転とが、コンピュータープログラムにより制御され、ドーム内面に投光される光点をドーム内面の任意の位置に移動させるようにし、さらにドーム内面に投光される光点の照度を制御する装置を有することを特徴とする視野計を提供する。
【０００８】
また、本発明は、第１のモーター１０の回転と第２のモーター１１の回転とを制御するコンピューター１４が、ディスプレイ１２に指触した点から別の指触した点の間に対応して、アーム３と投光器２とが共動し、ドーム内面に光点を走査するようにプログラミングされている上記の視野計；およびさらにドーム内面に投光される光点の大きさを制御する装置を有する上記の視野計を提供する。
【０００９】
【発明の実施の形態】
次に好ましい実施の形態を示す添付図面を参照して本発明をさらに詳細に説明する。本発明の視野計が、図１および図２に示す従来のゴールドマン視野計と異なる点は、図２と図３とを対比して示すように、第１に、パンタグラフ４に代えて、アーム３および投光器２の動作を第１のモーター１０と第２のモーター１１による動作に代えた点であり、これらのモーター１０，１１をコンピューター制御により共動させてアーム３の動作と投光器２の動作を行うようにした点である。
【００１０】
第２には、従来の視野計における記録用紙９と把手８の先に設けられている記録器具に代えて、ドーム内面に投光された光点を表示する液晶ディスプレイ１２を使用し、表示された光点を自動的に表示、記録および記憶させるようにした点である。
【００１１】
第３には、従来の視野計における望遠鏡７に代えて、図１に示すドーム中心にある孔６に、図３に示すＣＣＤカメラ１８’を設置し、被験者の眼の動きを監視するモニターデスプレイ１３に代えた点である。その他にも種々の些細な変更点があるが、重要な変更点は上記の３点である。
【００１２】
次に本発明の視野計の動作を説明する。なお、本発明の視野計の表面（被験者側）は、図１に示すと同一の構成である。先ず、図１に示す顔設置台５の顎当て板１５に被験者の顎を当て、ベルト１６によって頭部を固定し、かつこの設置台５を回転ノブ１９を回転させて被験者の眼の位置を適性にする。そして被験者の視線を中心の孔６に集中させる。従来技術では、該孔６の裏側にある望遠鏡７によって被験者を観察していた。本発明では、該孔６にＣＣＤカメラ１８’を設置し、被験者の視線を液晶モニターディスプレイ１３により観察する。従って被験者の視線の観察は極めて容易である。
【００１３】
被験者が正常な位置に位置したことをモニターディスプレイ１３で確認しながら、視野計をスイッチオンとする。スイッチオンによりアーム３は、軸１７を中心として第１のモーター１０の駆動力により、被験者の後頭部後方に一定の速度で水平旋回する。この旋回速度は不図示の操作パネルの速度変更レバーの位置変更により任意に変更可能である。
【００１４】
アーム３が上記位置にある時は、投光器２がその向きを変え、図１に示すドーム内面の端部Ａ点方向に向きを変えてＡ点に光点を生じる。次にアーム３が一定速度で、被験者後頭部位置からドーム１の端部方向に旋回する。このとき、投光器２はアーム３の動きに共動してドーム内面Ａ点からドーム内面中心方向に一定速度で移行する。被験者が光点を視認した時に被験者がブザー２４のボタンを押すと、投光器への光線が遮断され光点が消滅する。この状態が、図４に示す液晶デイスプレイ１２に対応して表示される。すなわち、図４に示すように、ディスプレイ１２には、予め、前記記録用紙９と同一の多重円と２２．５°間隔の中心通過線が表示されており、前記ドームの投光点Ａが図４のｂ’に対応して表示され、点ｂ’は矢印方向に移動するように表示され、前記被験者がブザーを押した時の信号によって点ｂが画面上に表示される。なお、中心通過線の本数はさらに多くても少なくてもよい。
【００１５】
上記と同様な操作をドーム１を平面と考えた場合、図４に示すように所定の角度、例えば、矢印ａ−ａ’の次に、矢印ｂ−ｂ’・・・・の如く順次行い、ディスプレイ画面上に点ａ〜ｐまでをプロット表示し、これらの点が結ばれて被験者の視野２２（点線表示）が表示される。このようなデーターはプリントアウトでき、また、カルテ番号などが付与されてコンピューターに記録され、必要に応じて読み出すことができる。また、このようなデーターは、単一の視野計に限られず、複数の視野計に渡って相互に交換できる。
【００１６】
以上の如きアーム３は、第１のモーター１０によって軸１７を中心として旋回し、検査中は一定の旋回速度に維持されるが、必要に応じて不図示の操作パネルにおける速度変換機構によって任意の速度に変更できる。一方、投光器２はアーム３の下端付近に設けられ、照明光源２０（図１）からの光が光ファイバーなどによってアーム３中を通って投光器に送られ、前記被験者がブザーを押した信号により遮光される。該照明光源２０は、ドーム内面を均一な明るさになるようにドーム内面も照明しており、これらの明るさの程度、さらに投光器２から投光される光の照度の調整もタッチパネル１８における操作によって任意の明るさおよび光点の大きさに制御されるようになっている。
【００１７】
投光器２は、第２のモーター１１の回転が回転軸２１を経て、アーム上方内部において方向転換され、さらにアーム下端付近によって投光器２に伝達され、投光器の投光方向を変化させるように連結されている。そして、投光器２の投光方向を変化させる第２のモーター１１の回転速度は、例えば、図４の各矢印の方向に投光および走査されるように、第１のモーター１０と第２のモーター１１とが共動するようにプログラミングされたコンピューターの信号によって制御されている。
【００１８】
また、本発明では、上記本発明の視野計において、例えば、図４に示す視野測定において、被験者の動きによって測定値が不審と思われる場合、例えば、ｂ点が不審である場合、被験者に対し、再度測定し直して確認することができる。この場合には、ディスプレイ１２のｂ’とｂより内側の２点に指触すると、これらの２点間において自動的に視野の再測定を行い確認することができる。すなわち、第１のモーターの回転と第２のモーターの回転とを制御するコンピューターが、ディスプレイに指触した点から別の指触した点の間に対応して、アーム３と投光器２が共動し、ドーム１内面に光点を走査するようにプログラミングしておくことができる。
【００１９】
さらに本発明では、前記ドーム内面に投光される光点の照度を制御する装置を有する。この装置は、照明光源２０（図１）と投光器２との光路内、例えば、本体２５内に各種透過率の異なるフィルターを設置し、光源からの光をこれらの単一または複数のフィルターを透過させることにより、投光器２から投光される光点の照度を変更することができる。例えば、図３の符号１８および図５に示すように、タッチパネル１８を設置し、該パネルに表示された照度の領域にタッチすることにより、自動的に照度を変更することができる。
【００２０】
自動的に照度を変更する場合には、前記各種透過率の異なるフィルター群を小型モーターにより回転させ、光路に位置するように構成し、タッチパネル１８からの信号に応じ、コンピューターのプログラムに従ってフィルターの位置を変更または２個以上のフィルターが重なって光源からの照度が減衰するようにすればよい。例えば、図５においてｅ−４の位置は最大照度（１００％）を示し、ａ−１の位置は最低照度（１．２５％）を示し、その間の照度は各欄に示す通りである。
【００２１】
さらに本発明の好ましい実施形態では、前記ドーム内面に投光される光点の大きさを制御する装置を有する。この装置は、投光器２内に光の絞り機構（不図示）を設置し、例えば、図５に示すように、光点の面積を１／４〜６４ｍｍ２の範囲で変更することができる。上記光の絞り機構は手動でもよいし、自動でもよい。好ましくは図５に示すようにタッチパネル１８を設け、該パネル１８にタッチすることで、絞りが自動的に変更されるようにすることが好ましい。自動的に光点の面積（光点の大きさ）を変更する場合には、前記絞り機構を小型モーターにより駆動するように構成し、コンピューターのプログラムに従って絞り機構が作動するようにすればよい。例えば、図５において下方の欄には光点の大きさが表示されており、必要な欄にタッチすることで光点の大きさが自動的に変更される。
【００２２】
以上のように光点の照度および大きさを変えて視野を測定する方法は、前記視野角の測定と同様であり、光点の照度または大きさを順次明るく、または大きくすることにより、被験者が光点を認めた位置を確認し、記録することにより、従来技術では困難であった動的視野に加えて静的視野も測定することができる。
【００２３】
【発明の効果】
以上の如き本発明によれば、熟練していない検査技師であっても、あるいは医師であっても容易にかつ正確に動的および静的視野を測定でき、しかも多数の被験者を効率よく検査可能な視野計を提供することができる。
【図面の簡単な説明】
【図１】従来の視野計の正面を説明する図。
【図２】従来の視野計の背面を説明する図。
【図３】本発明の視野計の背面を説明する図。
【図４】表示用液晶ディスプレイの画面を説明する図。
【図５】光点の照度および大きさを制御するタッチパネル。
【符号の説明】
１：ドーム
２：投光器
３：アーム
４：パンタグラフ
５：顔設置台
６：孔
７：望遠鏡
８：把手
９：記録用紙
１０：第１のモーター
１１：第２のモーター
１２：表示用液晶ディスプレイ
１３：モニターディスプレイ
１４：コンピューター
１５：顎当て板
１６：ベルト
１７：軸
１８’：ＣＣＤカメラ
１８：タッチパネル
１９：回転ノブ
２０：照明光源
２１：回転軸
２２：視野
２３：照度計
２４：ブザー
２５：本体
【図１】
2004073545.tif 000003
【図２】
2004073545.tif 000004
【図３】
2004073545.tif 000005
【図４】
2004073545.tif 000006
【図５】
2004073545.tif 000007